(57)【要約】【課題】基礎本体が杭によって安定して支持される杭基礎を提供する。【解決手段】基礎本体２２のフーチング２２Ｂの下方に杭２４を配置する。柱１２の軸心と、フーチング２２Ｂの幅中心線と、杭２４の軸心とを一致させているので、フーチング２２Ｂの幅方向に渡って柱１２から伝達されるユニット建物１０の垂直荷重を均等に作用させることができる。杭２４の軸心に対してフーチング２２Ｂの軸心を一致させているため、杭２４の軸心に対して、フーチング２２Ｂの幅方向両側に均等な垂直荷重が作用する方向となり、杭２４が、上側に配置された基礎本体２２を安定した状態で支持することができ、ユニット建物１０の垂直荷重によって基礎本体２２にモーメントが生じることが抑えられ、基礎本体２２が安定する態様となる。また、基礎本体２の捩り変形が抑えられることになるので、基礎本体２２の耐久性も向上する。【選択図】図２
2010106459.tif 000002
【特許請求の範囲】
【請求項１】
フーチングを備え建物の垂直荷重を支持する基礎本体、及び前記フーチングの下方に配置される杭を備えた建物用の杭基礎であって、
軸心が前記フーチングの幅中心線に一致する杭を備えている、建物用の杭基礎。
【請求項２】
前記杭が、建物の梁に沿って複数本配置されている、請求項１に記載の杭基礎。
【請求項３】
平面視した時に、前記杭の軸心と、前記建物の垂直荷重が前記基礎本体に作用する点とが一致している、請求項１または請求項２に記載の建物用の杭基礎。
【請求項４】
前記点は、前記建物を構成する柱が立設されている位置である、請求項３に記載の建物用の杭基礎。
【請求項５】
前記点は、前記建物の梁と前記基礎本体との間に配置されて前記建物の垂直荷重を前記基礎本体に伝達させる荷重伝達部材が配置されている位置である、請求項３に記載の建物用の杭基礎。
【請求項６】
前記フーチングの幅が一定に形成されている、請求項１〜請求項５の何れか１項に記載の建物用の杭基礎。
【請求項７】
建物の外周部に沿って配置された柱の軸心に対して、前記杭の軸心が一致するように前記杭が前記基礎本体の外周部の下方に配置されている、請求項１〜請求項６の何れか１項に記載の建物用の杭基礎。
【請求項８】
杭本数、及び配置形状の異なる杭基礎形状が予め複数パターン準備され、前記建物の垂直荷重に応じて複数パターンの中から前記垂直荷重を支持可能な杭基礎形状が選択されて決定されている、建物用の杭基礎。
【請求項９】
請求項１〜請求項８の何れか１項に記載の前記杭基礎を備え、前記杭の軸心の上に配置される柱を有する建物。
【請求項１０】
建物ユニットを複数連結することで構成されている、請求項９に記載の建物。
【発明の詳細な説明】
【技術分野】
【０００１】
本発明は、建物用の杭基礎、及び建物に関する。
【背景技術】
【０００２】
軟弱な地盤に住宅を建設する際に、地盤を補強するために杭を打つ場合がある（例えば、特許文献１、２参照）。
【特許文献１】特開平１１―０９３２７３号公報。
【特許文献２】特開２００６―１２７１８６号公報。
【発明の開示】
【発明が解決しようとする課題】
【０００３】
杭を地盤に打ち込むことで、地盤を補強することはできる。しかしながら、杭の位置と、その上に配置される基礎本体との位置が適切でない場合、杭が基礎本体を確実に支持することができず、基礎本体が歪みを生じたり、基礎本体の耐久性が低下する等の不具合を生ずる懸念がある。
【０００４】
本発明は上記事実を考慮し、基礎本体が杭によって安定して支持される杭基礎の提供を目的とする。
【課題を解決するための手段】
【０００５】
請求項１に記載の建物用の杭基礎は、フーチングを備え建物の垂直荷重を支持する基礎本体、及び前記フーチングの下方に配置される杭を備えた建物用の杭基礎であって、軸心が前記フーチングの幅中心線に一致する杭を備えている。
【０００６】
次に、請求項１に記載の建物用の杭基礎の作用を説明する。
フーチングの下方に杭を配置することで、建物の垂直荷重が、基礎本体を介して杭に伝達される。
杭基礎を平面視した時に、フーチングの幅中心線と杭の軸心とを一致させることで、フーチングの幅方向に渡って建物の垂直荷重を均等に作用させることができ、建物の垂直荷重によって基礎本体にモーメント（基礎長手方向断面で見たときの）が生じることが抑えられ、基礎本体を安定させることができる。また、基礎本体の捩り変形が抑えられるので、基礎本体の耐久性も向上する。
【０００７】
請求項２に記載の発明は、請求項１に記載の杭基礎において、前記杭が、建物の梁に沿って複数本配置されている。
【０００８】
次に、請求項２に記載の建物用の杭基礎の作用を説明する。
建物の垂直荷重が梁に沿って作用し、基礎本体が該垂直荷重を支持する場合、該垂直荷重を受ける杭を梁に沿って配置することが好ましい。これにより、梁に沿って作用する垂直荷重、即ち、基礎長手方向に沿って作用する垂直荷重が複数の杭によって支持されることになり、垂直荷重による基礎本体の長手方向の撓みを防止することができる。
【０００９】
請求項３に記載の発明は、請求項１または請求項２に記載の建物用の杭基礎において、平面視した時に、前記杭の軸心と、前記建物の垂直荷重が前記基礎本体に作用する点とが一致している。
【００１０】
次に、請求項３に記載の建物用の杭基礎の作用を説明する。
平面視した時の杭の軸心と、建物の垂直荷重が基礎本体に作用する点とを一致させることで、建物の垂直荷重が基礎本体を介して真下の杭に作用することになる。これにより、杭は建物の垂直荷重を確実かつ安定して受けることができ、また、杭には杭を倒す方向の力が掛からず、杭の耐久性の上でも好ましい態様となる。
【００１１】
請求項４に記載の発明は、請求項３に記載の建物用の杭基礎において、前記点は、前記建物を構成する柱が立設されている位置である。
【００１２】
次に、請求項４に記載の建物用の杭基礎の作用を説明する。
建物の垂直荷重は、建物を構成する柱の下端に作用するため、建物の垂直荷重が基礎本体に作用する点としては、具体的には、建物を構成する柱が立設される位置となる。
【００１３】
したがって、この場合には、柱の直下に杭を配置することになる。
これにより、柱から伝達された垂直荷重を基礎本体を介して柱の直下に配置された杭に作用させることができる。
【００１４】
請求項５に記載の発明は、請求項３に記載の建物用の杭基礎において、前記点は、前記建物の梁と前記基礎本体との間に配置されて前記建物の垂直荷重を前記基礎本体に伝達させる荷重伝達部材が配置されている位置である。
【００１５】
次に、請求項５に記載の建物用の杭基礎の作用を説明する。
建物の垂直荷重は、建物を構成する柱の下端に作用するが、例えば、基礎本体と、柱と柱の間に渡って配置されている梁との間に、建物の垂直荷重を梁から基礎本体に伝達させる荷重伝達部材が配置されている場合には、荷重伝達部材が配置される部位からも建物の垂直荷重が基礎本体に伝達されることになる。
【００１６】
したがって、この場合には、荷重伝達部材の直下に杭を配置することになる。
これにより、荷重伝達部材から伝達された垂直荷重を基礎本体を介して柱の直下に配置された杭に作用させることができる。
【００１７】
請求項６に記載の発明は、請求項１〜請求項５の何れか１項に記載の建物用の杭基礎において、前記フーチングの幅が一定に形成されている。
【００１８】
次に、請求項６に記載の建物用の杭基礎の作用を説明する。
フーチングの幅を一定に形成することで、杭基礎の長手方向に沿って安定して垂直荷重を支持することができる。また、フーチングの幅を一定に形成することで、フーチングを一体的に備える基礎本体の構築も容易になる。
【００１９】
請求項７に記載の発明は、請求項１〜請求項６の何れか１項に記載の建物用の杭基礎において、建物の外周部に沿って配置された柱の軸心に対して、前記杭の軸心が一致するように前記杭が前記基礎本体の外周部の下方に配置されている。
【００２０】
次に、請求項７に記載の建物用の杭基礎の作用を説明する。
住宅等の建物では、建物の荷重支持の観点、地震等による外力の観点から、建物の特に外周部分の荷重支持性能が重要となる。このため、平面視した時に、建物の外周部に沿って配置された柱の軸心に対して、杭の軸心が一致するように杭を基礎本体の外周部の下方に配置することが好ましく、これにより、建物を安定して確実に支持することができる。
【００２１】
請求項８に記載の発明は、請求項１〜請求項７の何れか１項に記載の建物用の杭基礎において、杭本数、及び配置形状の異なる杭基礎形状が予め複数パターン準備され、前記建物の垂直荷重に応じて複数パターンの中から前記垂直荷重を支持可能な杭基礎形状が選択されて決定されている。
【００２２】
次に、請求項８に記載の建物用の杭基礎の作用を説明する。
請求項８に記載の建物用の杭基礎では、杭本数、及び配置形状（平面形状）の異なる杭基礎形状が予め複数パターン準備されている。即ち、杭耐力の異なる基礎形状が予め複数パターン準備されている。
【００２３】
建物の垂直荷重の作用する部分、例えば、柱の立設されている部分の地盤調査データから、予め準備されていた杭基礎形状の中から、垂直荷重（ここでは柱の軸力となる）よりも大となる杭耐力を有する杭基礎形状が選択され、その選択された杭基礎形状によって杭基礎が構成されている。
【００２４】
このように、杭耐力の異なる複数種類の基礎形状が予め準備されており、地盤調査データ、及び建物の垂直荷重に基いて杭基礎形状が選択されることで杭基礎が設計されているので、建物の垂直荷重を確実に支持可能な杭基礎の設計を簡単なステップで行うことができる。
【００２５】
請求項９に記載の建物は、請求項１〜請求項８の何れか１項に記載の前記杭基礎を備え、前記杭の軸心の上に配置される柱を有する。
【００２６】
次に、請求項９に記載の建物の作用を説明する。
請求項９の建物は、請求項１〜請求項８の何れか１項に記載の杭基礎を備え、柱が杭の軸心の上に配置されているので、地盤が軟弱であっても、地盤上に安定して、かつ確実に支持される。
【００２７】
請求項１０に記載の発明は、請求項９に記載の建物において、建物ユニットを複数連結することで構成されている。
【００２８】
次に、請求項１０に記載の建物の作用を説明する。
請求項１０に記載の建物は、複数の建物ユニットが連結されることで構成されている。個々の建物ユニットが安定して確実に杭基礎に支持されるので、建物ユニット同士がずれる等の不具合を生ずることが防止される。
【００２９】
また、複数の建物ユニットが隣接して配置され、一方の建物ユニットの柱と、他方の建物ユニットの柱とが隣接して配置されて複数本の柱が組になっているような場合に、組となった柱の下側に杭を配置することが好ましく、これによって、複数本の柱からの垂直荷重を共通の杭で支持することができる。
【発明の効果】
【００３０】
以上説明したように本発明の建物用の杭基礎によれば、地盤が軟弱な場合であっても、基礎本体が杭によって安定して支持される。
【００３１】
また、本発明の建物によれば、地盤が軟弱な場合であっても、杭基礎よって安定して支持される。
【発明を実施するための最良の形態】
【００３２】
図１に示すように、本実施形態のユニット建物１０は、複数本の柱１２、天井大梁１４、及び床大梁１６にて箱形状に骨組みが配置された複数の建物ユニット１８を妻方向及び桁方向に隣接して配置し、杭基礎２０上に順次据え付けていくことにより構成されている。なお、図１のユニット建物１０は１階のみが記載されているが、建物ユニット１８を１階の建物ユニット１８の上に配置して２階建て以上にすることもできる。なお、ユニット構成は上記構成に限られることなく、他の箱形の架構構造であっても良い。
【００３３】
図１、２に示すように、地盤２６には、ユニット建物１０を支持するための杭基礎２０が設けられている。本実施形態の杭基礎２０は、コンクリート製の基礎本体２２と、基礎本体２２の下方に配置された鉛直方向に延びる杭２４から構成されているものである。
【００３４】
図２に示すように、本実施形態の基礎本体２２は、鉛直方向に一定幅で延びる立上り部２２Ａと、立上り部２２Ａの下端に一体的に形成されて幅方向に延びるフーチング２２Ｂとからなり、断面形状が逆Ｔ字形状とされている。なお、本実施形態の基礎本体２２は、立上り部２２Ａの幅方向中心線とフーチング２２Ｂの幅方向中心線とが一致しており、断面形状は左右対称形状である。
【００３５】
建物ユニット１８の垂直荷重が柱１２を介して基礎本体２２に伝達される様に、各建物ユニット１８の柱１２は、基礎本体２２の上面に搭載されて固定されている。なお、本実施形態の建物ユニット１８では、床大梁１６が基礎本体２２の上面から若干離間しているが、接触していても良い。
本実施形態では、基礎を平面視したときに、フーチング２２Ｂの幅中心線と杭２４の軸心とが一致する様に杭２４とフーチング２２Ｂとの相対的な位置が決められている。
【００３６】
また、図２（Ｂ）に示すように、杭基礎２０を平面視した時に、建物ユニット１８の垂直荷重が基礎本体２２に作用する部位、例えば、柱１２の配置されている部位と杭２４の配置されている部位とが一致するように杭２４と柱１２との相対的な位置を決めることが好ましく、杭２４の軸心と柱１２の軸心とを一致させることが更に好ましい。
【００３７】
なお、図３に示すように、基礎本体２２の下方に、互いに隣接する複数本（ここでは２本）の杭２４が組になって配置されていても良い。このような場合、フーチング２２Ｂの幅中心線と、互いに隣接して組となっている複数本の杭２４の重心とを一致させることが好ましく、また、柱１２の軸心と、複数本の杭２４の重心とを一致させることが好ましい。なお、
【００３８】
さらに、ユニット建物１０の中央側にあるような、互いに隣接する複数本（本実施形態では４本）の柱１２が組となって配置されている場合、図４に示すように、組となっている柱１２の重心Ｇと杭２４の重心とを一致させることが好ましい。
なお、図示は省略するが、杭２４は、床大梁１６に沿って複数本配置することができる。
【００３９】
図５に示すように、床大梁１６と基礎本体２２との間に、建物ユニット１８の垂直荷重を基礎本体２２に伝達させる荷重伝達部材２８が配置されている場合には、荷重伝達部材２８の直下に杭２４を配置することが好ましい。
【００４０】
なお、フーチング２２Ｂは、長手方向に沿って一定幅に形成することができる。
また、杭２４の軸方向直角断面形状は、円形が一般的であるが、従来公知の他の形状であっても良い。また、杭工法としては、乾式柱状改良杭工法、湿式柱状改良杭工法、ＳＭＤ工法、ダクパイル工法等、従来公知の種々の杭工法を用いることができる。
【００４１】
［杭基礎の設計方法］
次に、図面を用いて杭基礎の効率的な設計方法の一例を説明する。
【００４２】
図６には、杭基礎設計を行うためのコンピュータシステム３０の概略構成が記載されている。図６において、符号３２はコンピュータであり、コンピュータ３２は、ＲＡＭ３４、ＣＰＵ３６、ＲＯＭ３８、プログラム及び各種データ等を記憶するハードディスクドライブ４０、Ｉ／Ｏ４２等を備え、このコンピュータ３２には、キーボード４４、プリンター４６、モニタ４８等が接続されている。
【００４３】
以下に、一例としてユニット住宅の杭基礎設計手順を説明する。
（事前準備）
先ず、建物の杭基礎を設計する前に、事前準備を行う。
事前準備としては、先ず、図７に示すように、杭工法、杭径、及び杭耐力等を先行して決定（図７の（１）のステップ）すると共に、上記内容にて杭本数毎の杭基礎形状を先行決定する（図７の（２）のステップ）。そして、上記内容で、構造計算書を杭基礎形状毎に事前に作成しておく（図７の（３）のステップ）。
【００４４】
杭工法としては、複数種類の杭工法（例えば、乾式柱状改良杭工法、湿式柱状改良杭工法、ＳＭＤ工法、ダクパイル工法柱状改良等）を用いても良く、ある特定の杭工法のみを用いても良い。そして、用いる杭の杭耐力を事前に決定しておく。また、杭は、同一工法でも径の異なる、即ち、杭耐力の異なる複数種類のものを用いても良い。この場合も、径の異なる杭毎に杭耐力を事前に決定しておく。
【００４５】
一例として、柱状改良工法では、例えば、直径４００ｍｍ、５００ｍｍ、６００ｍｍ、８００ｍｍの４種類の杭について杭耐力を事前に決定して準備しておき、鋼管杭工法では、例えば、直径１１４．３ｍｍ、１３９．８ｍｍ、１６５．２ｍｍ等の３種類の杭について杭耐力を事前に決定して準備しておく。
【００４６】
このように、本実施形態では、杭本数毎に複数形状の杭基礎形状を先行決定して準備しておき、杭基礎形状毎の計算書を事前に作成して準備しておく。
【００４７】
具体的には、例えば、図８，９に示すような、杭本数、及び直線状、Ｌ字状、十字状といった形状の異なる複数種類の基礎本体２２と杭２４とを対にした杭基礎形状５０を予め準備してコンピュータ３２に記憶させておくと共に、杭基礎形状毎の計算書をコンピュータ３２に記憶させておき、いつでも出力出来るように準備をしておく。
図８，９に示す杭基礎形状５０では、全ての杭２４の軸心が、フーチング２２Ｂの幅中心線と一致している。
【００４８】
本実施形態では、梁受け部、出隅部、入隅部等に用いられる基礎本体２２の平面視形状の異なる複数の杭基礎形状５０がコンピュータ３２に事前に準備されていると共に、同一形状の杭基礎形状５０においても、杭耐力の異なるものがコンピュータ内に事前に準備されている。
【００４９】
例えば、図８に示すように、出隅部に用いる平面視でＬ字状の杭基礎形状５０として、杭本数が１本の杭基礎形状５０、杭本数が２本の杭基礎形状５０、及び杭本数が３本の杭基礎形状５０が事前に準備されている（杭本数の違い＝杭耐力の違い。）。即ち、本実施形態のコンピュータ３２には、杭基礎形状５０と、杭基礎形状５０が有する杭耐力と、杭基礎形状５０の計算書とが対応して記憶されている。
【００５０】
（個別設計）
次に、杭基礎の設計を実際に行う手順を説明する。
先ず、顧客の建物形状、仕様、平面等が決定された後、各柱位置における軸力（垂直荷重）を算定する（図７の（４）のステップ）。この算定は、建物形状、仕様、平面等に基いて、従来通りコンピュータによって行うことができる。なお、この算定は、従来技術も本実施形態も同じである。
【００５１】
一方、敷地に関しては、従来と同様に、例えば、ＳＷＳ（スウェーデン式サウンディング）試験等によって地盤調査を実施し、地盤調査データを得る。地盤データとしては、例えば、敷地をマトリクス状に区画し、区画された領域毎の地盤耐力を得て、敷地形状、地盤調査データ等の敷地に関するデータをコンピュータ３２に入力し、記憶させる。
【００５２】
そして、コンピュータ上で、地盤耐力の分かっている敷地に上屋の平面図を重ね合わせる。例えば、コンピュータ３２に入力した敷地形状をモニタ４８に映し、その敷地形状に柱や梁の位置等が記載された上屋の平面図を重ね合わせる。
【００５３】
コンピュータ３２は、地盤調査データ、及び柱位置における軸力等に基いて、柱位置の軸力と、その柱位置の直下の領域の地盤耐力とを比較し、地盤耐力以上の杭耐力を有する杭基礎形状を柱位置毎に選択する。
【００５４】
図１０（Ａ）は、後述する杭基礎形状を組み合わせて構成した基礎本体の概略の形状を示した平面図であり、（Ｂ）は、柱、及び下梁の記載された上屋の平面図と杭基礎形状とを重ね合わせた出隅部分の平面図の一例である。
【００５５】
図１０（Ａ）において、３５．０等の数値は柱位置での鉛直下向きの軸力（単位：ＫＮ）を示し、アルファベット（ＡからＤ）は以下の表１に示す杭耐力を有する杭基礎形状を示している。例えば、図１０（Ａ）左上の出隅部分の柱位置での軸力は３５．０ＫＮであるため、該左上の出隅部分では、杭耐力が３５．０ＫＮを超える杭基礎形状Ｂが選択されている。なお、符号Ｅは、ここでは、杭を備えていない杭基礎形状を示しており、杭基礎形状Ｅは互いに離間している杭基礎形状Ａ〜Ｄを繋いでいるものである。
【００５６】
【表１】
2010106459.tif 000003
なお、この選択の方法は、例えば、先ず最初に杭本数が１本の杭基礎形状（即ち、一番杭耐力の小さい杭基礎形状）を選択し、杭１本の杭耐力と、柱位置での軸力とを比較して、杭耐力が柱位置に作用する軸力よりも大きいことが確認できれば、ここで選択された杭基礎形状を採用することを決定する（図７の（５）のステップ）。
【００５７】
しかしながら、杭１本の杭耐力が、柱位置に作用する軸力以下である場合には、杭本数を１本多くし、杭２本の杭耐力が柱位置に作用する軸力よりも大きいか否かを確認し、杭耐力が柱位置に作用する軸力よりも大きいことが確認できれば、杭２本の杭基礎形状を採用することを決定する。なお、杭本数を増やしても、杭耐力が柱位置に作用する軸力よりも大きくならない場合には、杭耐力が軸力よりも大きくなるまで杭本数を順次増やし、杭耐力が柱位置に作用する軸力よりも大きくなる杭基礎形状を採用することを決定する。
このようにして、全ての柱位置に対して杭基礎形状を決定する。
【００５８】
なお、コンピュータ３２は、柱位置の位置、梁の形状及び位置等に基いて、図８，９に示すような基礎本体２２の平面形状、例えば、直線状、Ｌ字状、十字状といった形状をも同時に選択することができる。
【００５９】
このようにして、柱位置毎に杭基礎形状を決定した後、コンピュータ３２は、上屋の柱位置、及び梁等に合わせて杭基礎形状５０を配置し、配置された複数の杭基礎形状５０を連結することで、建物に合わせた杭基礎の設計を完了する（図７の（６）のステップ）。
【００６０】
以上説明したように、この杭基礎設計方法によれば、予め杭耐力の異なる複数種類の杭基礎形状が予め準備されているので、個別の設計は、図７の（４）、（５）、（６）の３ステップを経るのみで、従来よりも迅速、かつ簡単に杭基礎の設計を行うことが出来る。
【００６１】
なお、杭基礎の設計を完了した後、コンピュータ３２に接続したモニタ４８に基礎伏図を表示したり、プリンター４６から基礎伏図をプリントアウトすることもできる。
【００６２】
また、柱位置毎の軸力と杭耐力とを対応させた一覧表を、モニタ４８に表示したりプリンター４６からプリントアウトすることもできる。
【００６３】
なお、コンピュータ３２のハードディスクドライブ４０には、図７のステップを実行するためのプログラムが記憶されている。また、このプログラムは、ＣＤ−ＲＯＭ、半導体メモリ等の公知の記録媒体に記録されていても良い。
【００６４】
（作用）
【００６５】
本実施形態の様に、基礎本体２２のフーチング２２Ｂの下方に杭２４を配置することで、ユニット建物１０の垂直荷重を、基礎本体２２と杭２４とで支持することができ、軟弱な地盤であっても、複数の建物ユニット１８からなるユニット建物１０を確実に支持することができる。
【００６６】
本実施形態では、杭基礎２０を平面視した時に、柱１２の軸心と、フーチング２２Ｂの幅中心線と、杭２４の軸心とを一致させているので、フーチング２２Ｂの幅方向に渡って柱１２から伝達されるユニット建物１０の垂直荷重を均等に作用させることができる。
【００６７】
また、杭２４の軸心に対してフーチング２２Ｂの軸心を一致させているため、杭２４の軸心に対して、フーチング２２Ｂの幅方向両側に均等な垂直荷重が作用する方向となり、杭２４が、上側に配置された基礎本体２２を安定した状態で支持することができる。
【００６８】
このため、ユニット建物１０の垂直荷重によって基礎本体２２にモーメントＭ（図３（Ａ）参照）が生じることが抑えられ、基礎本体２２が安定する態様となる。また、基礎本体２の捩り変形が抑えられることになるので、基礎本体２２の耐久性も向上する。
【００６９】
さらに、ユニット建物１０の垂直荷重を、鉛直方向に延びる杭２４の軸心に向けて鉛直方向に作用させているので、杭２４に対して杭２４を倒す方向の力が掛かることはなく、杭２４の耐久性の上でも好ましい態様となる。
【００７０】
なお、フーチング２２Ｂの幅を一定に形成することで、長手方向に沿って安定して垂直荷重を支持することができる。また、フーチング２２Ｂを一体的に備える基礎本体２２の構築も容易になる。
【００７１】
［その他の実施形態］
【００７２】
なお、上記実施形態では、柱１２の直下にのみ杭２４を配置する構成としたが、例えば、基礎本体２２が床大梁１６から建物の垂直荷重を受ける場合もある。このような場合には、杭２４を床大梁１６に沿って配置することが好ましい。これにより、床大梁１６に沿って作用する垂直荷重、即ち、基礎長手方向に沿って作用する垂直荷重が複数の杭２４によって支持されることになり、垂直荷重による基礎本体２２の長手方向の撓みを防止することができる。
【００７３】
上記杭基礎の設計方法においては、杭基礎形状毎に杭の本数を変えていたが、杭径を変えても良く、杭工法を変えても良い。
【００７４】
基礎本体２２の形状としては図２に示すものに限らず、布基礎以外に、ベタ基礎、深基礎等、従来公知の種々のものを採用しても良い。
【００７５】
フーチングの幅は、例えば、杭が鋼管杭の場合、フーチング幅は杭径毎に各工法別の最大幅で設定し、非認定一般工法の場合は２．５ｄで上記最大幅に合わせることができる。柱状改良の場合、フーチング幅は、杭径＋１００ｍｍとすることができる。
【００７６】
その他、杭状補強仕様の場合、フーチング幅を各戸について全て同じに設定しても良く、杭径を２種類併用する場合は、太い杭径に合わせたフーチング幅で同一に設定しても良い。また、立上り幅は、例えば、直接基礎と同様に、外周部分を幅１７０ｍｍ、内部つなぎ梁部分を幅４００ｍｍとすることができる。
【図面の簡単な説明】
【００７７】
【図１】杭基礎及びユニット建物の斜視図である。
【図２】（Ａ）は杭基礎及びユニット建物の一部を示す杭基礎の長手方向に対して直角な断面図であり、（Ｂ）は柱が立設している部分の杭基礎の平面図である。
【図３】他の実施形態に係る杭基礎及びユニット建物の一部を示す杭基礎の長手方向に対して直角な断面図である。
【図４】他の実施形態に係る柱が立設している部分の杭基礎の平面図である。
【図５】荷重伝達部材の配置されている部分の杭基礎の側面図である。
【図６】杭基礎設計を行うためのコンピュータシステムの概略構成図である。
【図７】杭基礎を設計する際の手順を示すフローである。
【図８】杭基礎形状の一例を示す平面図である。
【図９】杭基礎形状の一例を示す平面図である。
【図１０】（Ａ）は複数の杭基礎形状を配置して構成した杭基礎の平面図であり、（Ｂ）はユニット建物の平面図と杭基礎形状とを重ね合わせた図である。
【符号の説明】
【００７８】
１０    ユニット建物
１２    柱
１６    床大梁
１８    建物ユニット
２０    杭基礎
２２    基礎本体
２２Ｂ  フーチング
２４    杭
２６    地盤
２８    荷重伝達部材
５０    杭基礎形状
【図１】
2010106459.tif 000004
【図２】
2010106459.tif 000005
【図３】
2010106459.tif 000006
【図４】
2010106459.tif 000007
【図５】
2010106459.tif 000008
【図６】
2010106459.tif 000009
【図７】
2010106459.tif 000010
【図８】
2010106459.tif 000011
【図９】
2010106459.tif 000012
【図１０】
2010106459.tif 000013